(57)【要約】【課題】、長い軸筒であっても容易に詰め栓を軸筒に対して正しい位相で固着できる複式筆記具を提供する。【解決手段】  尾端に作動子が接続された複数本の筆記体が、軸筒内に固着された詰め栓と作動子の間に介装されたリターンスプリングで尾端方向に弾発された状態で軸筒内に前後動可能に収容され、軸筒の窓孔から径方向に突出した作動子の操作部を前方にスライドすると筆記体のペン体が軸筒の先端に螺着された先口の先端開口から選択的に突出して筆記可能になる複式筆記具において、軸筒の内周面に縦方向の案内リブを先口の螺着部まで形成するとともに詰め栓の外周面に縦方向の案内溝を形成し、詰め栓を軸筒の先端開口から挿入すると、詰め栓の案内溝が軸筒の案内リブに沿って移動し、所定位置で軸筒に固着する。【選択図】  図４
2008036919.tif 000002
【特許請求の範囲】
【請求項１】
尾端に作動子が接続された複数本の筆記体が、軸筒内に固着された詰め栓と作動子の間に介装されたリターンスプリングで尾端方向に弾発された状態で軸筒内に前後動可能に収容され、軸筒の窓孔から径方向に突出した作動子の操作部を前方にスライドすると筆記体のペン体が軸筒の先端に螺着された先口の先端開口から選択的に突出して筆記可能になる複式筆記具において、
前記軸筒の内周面に縦方向の案内リブが該先口の螺着部まで形成され、該詰め栓の外周面に縦方向の案内溝が形成され、軸筒の先端開口から挿入された詰め栓は、その案内溝が軸筒の案内リブに沿って移動し、所定位置で軸筒に固着されることを特徴とする複式筆記具。
【発明の詳細な説明】
【技術分野】
【０００１】
本発明は、軸筒内に複数の筆記体が収容され、筆記体のペン体を選択的に突出させて筆記する複式筆記具に関する。
【背景技術】
【０００２】
尾端に作動子が接続された複数本の筆記体がリターンスプリングで尾端側に弾発された状態で軸筒内に前後動可能に収容され、軸筒の窓孔から径方向に突出した作動子の操作部を前方にスライドすると筆記体のペン体が軸筒の先端に螺着された先口の先端開口から突出するスライド式の複式筆記具は、簡単な構造で軸筒内に３本以上のボールペンやシャープペンシルの筆記体を収容することができ、また簡単な操作で筆記体のペン体を選択的に先口の先端開口から突出することができるので数多く実用化されている。
【特許文献１】特開平１１−２０３８０号公報
【発明の開示】
【発明が解決しようとする課題】
【０００３】
かかるスライド式の複式筆記具は、筆記体がそれぞれ軸筒内に固着された詰め栓のガイド孔内に挿入されており、筆記体はこのガイド孔に沿って前後動し、移動時において筆記体同士が干渉しないようになっている。また、リターンスプリングはこの詰め栓と作動子の間に介装されて筆記体を尾端方向に弾発している。このため、詰め栓は所定の位相で軸筒内に固着する必要がある。しかし、通常、軸筒は先口に比べてずっと長いので、組立時において、詰め栓を軸筒の先端開口から軸筒の中腹部の所定位置まで挿入するとき、その移動距離が長いので、詰め栓を軸筒に対して正しい位相で固定するのがなかなか困難で手間を要していた。そこで本発明は、長い軸筒であっても容易に詰め栓を軸筒に対して正しい位相で固着できる複式筆記具を提供することを目的とする。
【課題を解決するための手段】
【０００４】
かかる目的を達成するために、本発明は、尾端に作動子が接続された複数本の筆記体が、軸筒内に固着された詰め栓と作動子の間に介装されたリターンスプリングで尾端方向に弾発された状態で軸筒内に前後動可能に収容され、軸筒の窓孔から径方向に突出した作動子の操作部を前方にスライドすると筆記体のペン体が軸筒の先端に螺着された先口の先端開口から選択的に突出して筆記可能になる複式筆記具において、軸筒の内周面に縦方向の案内リブを先口の螺着部まで形成するとともに詰め栓の外周面に縦方向の案内溝を形成し、詰め栓を軸筒の先端開口から挿入すると、詰め栓の案内溝が軸筒の案内リブに沿って移動し、所定位置で軸筒に固着する。
【発明の効果】
【０００５】
軸筒の内周面に縦方向の案内リブを先口の螺着部まで形成し、つまり、軸筒の先端開口近辺まで案内リブを形成し、かつ詰め栓の外周面に縦方向の案内溝を形成するので、組立時において、指先で詰め栓を摘んで軸筒の先端開口に挿入するとき、まだ指先で摘んでいるときに詰め栓の案内溝は軸筒の案内リブにはまり込んで位相が定まる。そして、治具で位相が定まった詰め栓を所定位置まで押し込んで固着すればよく、きわめて容易に詰め栓を正しい位相で軸筒内に固定することができる。
【発明を実施するための最良の形態】
【０００６】
図１は１の作動子にクリップを固定したスライド式の複式筆記具を示すが、図１において、軸筒１の先端には先口２が螺着され、尾端には尾栓７が嵌着されている。先口２は通常の大きさであり、軸筒１は先口２に比べてずっと長くなっている。また、軸筒１の尾端部には軸筒１内に収容された筆記体３の数と同数の窓孔１１が同一円周上に等間隔で形成されている。筆記体３は例えば６本のボールペンレフィールであり、リターンスプリング８にて尾端側に弾発された状態で同心円状に前後動可能に収容されている。
【０００７】
軸筒１の中腹部には詰め栓９が固着されており、筆記体３はそれぞれ図３に示す詰め栓９の同心円状のガイド孔９１に挿入されており、筆記体３はこのガイド孔９１に沿って前後動し、移動時において筆記体３同士が干渉しないようになっている。また、リターンスプリング８はこの詰め栓９と筆記体３の尾端にはそれぞれ接続された作動子４の間に介装されて筆記体３を尾端方向に弾発している。
【０００８】
筆記体３の尾端にはそれぞれ作動子４が接続されており、作動子４の１つがクリップ固定用作動子５である。作動子４の背面には作動部４２が形成され、正面には操作部４１が形成されており、操作部４１が軸筒１の窓孔１１から径方向に突出している。また、クリップ固定用作動子５の背面には作動部４２と同じ構造の作動部５５が形成されており、正面に形成された接続部５１が窓孔１１から突出している。そして、接続部５１にはクリップ６が固定されいる。したがって、クリップ６が作動子４の操作部４１と同じ役目をしている。なお、クリップ６が軸筒１に直接固定されているものであって、クリップ固定用作動子５を使用しないものであってもよい。
【０００９】
操作部４１ないしクリップ６を指先で先端側にスライドさせると筆記体３のペン体３１が先口２の先端開口から突出するとともに、作動部４２ないし作動部５５が軸筒１内の係止段部（図示せず）に係合して筆記可能になる。そして、この状態から他の操作部４１ないしクリップ６を指先で先端側にスライドさせると、作動部４２ないし作動部５５が前進位置にある作動部４２ないし作動部５５と干渉してこれを径方向に変位させるので、軸筒１の係止段部との係合が解除され、リターンスプリング８の弾発力により先端開口２１から突出していたペン体３１が先口２内に没入する。以上の作用はスライド式複式筆記具として周知のものである。
【００１０】
軸筒１の先端内面には、図２に示すように、先口２を螺着するための雌ねじ１５が形成されている。雌ねじ１５の長さは数ミリ程度である。そして、軸筒１の内周面には６本の案内リブ１２が等間隔で形成されており、案内リブ１２の先端１２ａは雌ねじ１５の形成されている部分まで延びている。つまり、案内リブ１２は軸筒１の先端開口の近傍まで形成されている。この案内リブ１２は先端側ほど低く、尾端側に行くに従って高くなってやや傾斜している。案内リブ１２の尾端には位置決め段１３ａを形成するための位置決めリブ１３が案内リブ１２と同じ位相で形成されている。
【００１１】
詰め栓９には、図３に示すように、筆記部３が挿入される６個のガイド孔９１が同心円状に等間隔で形成されている。ガイド孔９１の下側（組み立てたときの先端側）がスカート部９３であり、スカート部９３の表面には６個の係止突起９４が形成されている。ガイド孔９１の上側（組み立てたときの尾端側）がリターンスプリングガイド部９２であり、組み立てたときにはリターンスプリングガイド部９２でガイドされたリターンスプリング８の端部がガイド孔９１の外側の面に当接する。そして、詰め栓９の外周面には、６個の案内溝９５が等間隔で形成されている。この案内溝９５に案内リブ１２が嵌り込むと、詰め栓９は軸筒１に対して正しい位相になるようになっている。
【００１２】
かかる筆記具を組み立てるときは、軸筒１内に作動子４が接続された筆記体３を配置し、筆記体３の外側にリターンスプリング８を被せ、ターンスプリング８一端を作動子４に当接させる。そして、詰め栓９のスカート部９３を指先で摘んで、筆記体３の先端をガイド孔９１に差し込んで軸筒１の先端開口から挿入する。このとき、案内リブ１２が軸筒１の先端開口の近傍まで形成されているので、指先で摘んだままで詰め栓９の案内溝９５を案内リブ１２の先端１２ａに合わせて差し込むことができる。つまり、詰め栓９の軸筒１に対する正確な位相を容易に合わせることができる。そして、適当な治具で詰め栓９を押し込むと、詰め栓９はその案内溝９５に案内リブ１２が嵌り込んだ状態で正確な位相を維持しながら移動し、図４に示すように、リターンスプリングガイド部９２の端部が位置決め段１３ａに当接して位置決めされる。このとき、図５に示すように、詰め栓９の係止突起９４が軸筒１の案内リブ１２の中間に形成された係止突起１４を乗り越えて固着されるとともに、リターンスプリング８の端部が詰め栓に９に当接して筆記体３を尾端側に弾発する。そして、軸筒１の先端に先口２を螺着すると組立が完了する。
【図面の簡単な説明】
【００１３】
【図１】複式筆記具の一部断面図である。
【図２】（ａ）は軸筒の縦断面図、（ｂ）は（ａ）のＡ−Ａ線における断面図である、（ｃ）はＢ−Ｂ線における断面図である。
【図３】（ａ）は詰め栓の縦断面図、（ｂ）は（ａ）のＡ−Ａ線における断面図、（ｃ）はＢ−Ｂ線における断面図、（ｄ）はＣ−Ｃ線における断面図である。
【図４】詰め栓を軸筒に組み付け状態の断面図である。
【図５】詰め栓が軸筒に固着された状態の断面図である。
【符号の説明】
【００１４】
１    軸筒
１１    窓孔
１２    案内リブ
２    先口
２１    先端開口
３    筆記体
３１    ペン体
４    作動子
４１    操作部
４２    作動部
５    クリップ固定用作動子
５１    接続部
５５    作動部
６    クリップ
７    尾栓
８    リターンスプリング
９    詰め栓
９１    ガイド孔
９５    案内溝
【図１】
2008036919.tif 000003
【図２】
2008036919.tif 000004
【図３】
2008036919.tif 000005
【図４】
2008036919.tif 000006
【図５】
2008036919.tif 000007